【誤訳訂正書】
【提出日】平成27年12月18日(2015.12.18)
【誤訳訂正１】
【訂正対象書類名】特許請求の範囲
【訂正対象項目名】全文
【訂正方法】変更
【訂正の内容】
【特許請求の範囲】
【請求項１】
（ａ）  微多孔性表面を含む第１の表面、
（ｂ）  微多孔性表面を含む第２の表面、及び
（ｃ）  前記第１の表面と前記第２の表面の間の微多孔性バルク
を含む微多孔性ポリマー膜であって、
前記膜は、縦方向及び横方向を有し、前記第１の表面は、前記縦方向に平行な複数のチャンネルを有し、前記チャンネルは、側壁及び底壁を有し、前記側壁は、粗面を含み、前記粗面は、４．５μｉｎ（０．０００１ｍｍ）〜１９．０μｉｎ（０．０００５ｍｍ）の範囲にあるＲａを有する膜。
【請求項２】
前記チャンネルが、前記底壁より粗い表面を有する側壁を有する、請求項１に記載の膜。
【請求項３】
前記側壁が、５μｉｎ（０．０００１ｍｍ）〜９μｉｎ（０．０００２ｍｍ）の範囲にあるＲａを有する粗面を有する、請求項１又は２に記載の膜。
【請求項４】
前記側壁が、９．５μｉｎ（０．０００２ｍｍ）〜１６．０μｉｎ（０．０００４ｍｍ）の範囲にあるＲａを有する粗面を有する、請求項１又は２に記載の膜。
【請求項５】
前記第１の表面の少なくとも３５％が、前記縦方向に平行な複数のチャンネルを有する、請求項１〜４のいずれか一項に記載の膜。
【請求項６】
スルホン膜を含む、請求項１〜５のいずれか一項に記載の膜。
【請求項７】
ポリエーテルスルホン膜を含む、請求項６に記載の膜。
【請求項８】
ポリアミド膜、又はＰＶＤＦ膜を含む、請求項１〜５のいずれか一項に記載の膜。
【請求項９】
請求項１〜８のいずれか一項に記載の少なくとも１つの膜を含むフィルター。
【請求項１０】
請求項１〜８のいずれか一項に記載の少なくとも２つの膜を含むフィルター。
【請求項１１】
流体から望ましくない物質を除去する方法であって、前記方法が、前記流体を微多孔膜の第１の表面から前記膜の第２の表面に通過させるステップを含み、前記第１の表面が微多孔性表面を含み、前記第２の表面が微多孔性表面を含み、前記膜は、前記第１の表面と前記第２の表面との間に微多孔性バルクを有し、前記膜は、縦方向及び横方向を有し、前記第１の表面は前記縦方向に平行な複数のチャンネルを有し、前記チャンネルは、側壁及び底壁を有し、前記側壁は粗面を含み、前記粗面は、４．５μｉｎ（０．０００１ｍｍ）〜１９．０μｉｎ（０．０００５ｍｍ）の範囲のＲａを有する方法。
【請求項１２】
タンパク質含有流体からウイルスを除去するステップを含む、請求項１１に記載の方法。
【請求項１３】
流体から望ましくない物質を除去する方法であって、前記流体を請求項９に記載のフィルターに通過させるステップを含む方法。
【請求項１４】
流体から望ましくない物質を除去する方法であって、前記流体を請求項１０に記載のフィルターに通過させるステップを含む方法。
【請求項１５】
請求項１〜８のいずれか一項に記載の膜を調製する方法であって、
縦方向及び横方向を有する基材の表面を、規則的な間隔で配置された粒子で被覆した研磨ローラーに接触させて、前記縦方向に平行な切削痕を有する表面を前記基材に与えるステップ、
ポリマー溶液を前記表面に流延するステップ、
前記溶液の相分離をもたらし、微多孔膜を形成するステップ、及び
前記基材から前記膜を剥離し、前記基材の前記表面の前記平行な切削痕と接触する前記膜の一部が、前記膜から引き離されて、表面にチャンネルを伴う表面を有する膜を形成するステップ
を含む、方法。
【誤訳訂正２】
【訂正対象書類名】明細書
【訂正対象項目名】０００３
【訂正方法】変更
【訂正の内容】
【０００３】
［発明の簡単な概要］
[0003]本発明の一実施形態は、第１の表面及び第２の表面を含む微多孔膜を提供し、ここで、第１の表面は、長さ方向に平行な表面チャンネルを含み、ここで、チャンネルは、粗面を含む側壁を有し、粗面は、約４．５μｉｎ（０．０００１ｍｍ）〜約１９．０μｉｎ（０．０００５ｍｍ）の範囲にあるＲａを有する。通常、チャンネルの側壁は、チャンネルの底壁に比べ、より粗い表面を有する。通常、第１の表面上の少なくとも約２５％は、縦方向に平行な複数のチャンネルを有する。
【誤訳訂正３】
【訂正対象書類名】明細書
【訂正対象項目名】０００８
【訂正方法】変更
【訂正の内容】
【０００８】
［発明の詳細な説明］
[0012]本発明の一実施形態によれば、（ａ）微多孔性表面を含む第１の表面、（ｂ）微多孔性表面を含む第２の表面、及び（ｃ）第１の表面と第２の表面の間の微多孔性バルクを含む、微多孔性ポリマー膜であって、ここで、膜は、縦方向及び横方向を有し、第１の表面は、縦方向に平行な複数のチャンネルを有し、ここでチャンネルは、側壁及び底壁を有し、側壁は、粗面を含み、粗面は、約４．５（０．０００１ｍｍ）〜約１９．０μｉｎ（０．０００５ｍｍ）の範囲にあるＲａを有する。いくつかの実施形態では、側壁は、底壁より粗い表面を有する膜が提供される。
【誤訳訂正４】
【訂正対象書類名】明細書
【訂正対象項目名】０００９
【訂正方法】変更
【訂正の内容】
【０００９】
[0013]一実施形態では、側壁は、約５μｉｎ（０．０００１ｍｍ）〜約９μｉｎ（０．０００２ｍｍ）の範囲のＲａを有する粗面を有する。別の実施形態では、側壁は、約９．５μｉｎ（０．０００２ｍｍ）〜約１６．０μｉｎ（０．０００４ｍｍ）の範囲のＲａを有する粗面を有する。
【誤訳訂正５】
【訂正対象書類名】明細書
【訂正対象項目名】００１４
【訂正方法】変更
【訂正の内容】
【００１４】
[0018]流体をろ過する方法も、本発明の別の実施形態により提供され、方法は、上述のように、流体を少なくとも１つの膜、又は少なくとも１つの膜を含むフィルターに通過させるステップを含む。一実施形態では、流体から望ましくない物質を除去するための方法は、流体を微多孔膜の第１の表面から膜の第２の表面に通過させるステップを含み、第１の表面は、微多孔性表面を含み、第２の表面は、微多孔性表面を含み、膜は、第１の表面と第２の表面の間に微多孔性バルクを有し、ここで、膜は、縦方向及び横方向を有し、第１の表面は、縦方向に平行な複数のチャンネルを有し、チャンネルはここで、側壁及び底壁を有し、側壁は、粗面を含み、粗面は、約４．５μｉｎ（０．０００１ｍｍ）〜約１９．０μｉｎ（０．０００５ｍｍ）の範囲にあるＲａを有する。本方法の好ましい実施形態では、方法は、タンパク質含有流体からウイルスを除去することを含む。本方法のいくつかの実施形態では、流体は、少なくとも２つの膜を通過する。
【誤訳訂正６】
【訂正対象書類名】明細書
【訂正対象項目名】００１５
【訂正方法】変更
【訂正の内容】
【００１５】
[0019]例えば、一実施形態では、方法は、流体を第１の微多孔膜の第１の表面から第１の膜の第２の表面に通過させるステップであって、第１の表面は、微多孔性表面を含み、第２の表面は微多孔性表面を含み、第１の膜は、第１の表面と第２の表面の間に微多孔性バルクを有し、ここで、第１の膜は、縦方向及び横方向を有し、第１の表面は、縦方向に平行な複数のチャンネルを有し、チャンネルはここで、側壁及び底壁を有し、側壁は、粗面を含み、粗面は、約４．５μｉｎ（０．０００１ｍｍ）〜約１９．０μｉｎ（０．０００５ｍｍ）の範囲にあるＲａを有し、及び流体を第１の微多孔膜の第２の表面から第２の微多孔膜の第１の表面及び第２の膜の第２の表面に通過させ、第２の膜の第１の表面は、微多孔性表面を含み、第２の表面は、微多孔性表面を含み、第２の膜は、第１の表面と第２の表面の間に微多孔性バルクを有し、ここで、第２の膜は、縦方向及び横方向を有し、第１の表面は、縦方向に平行な複数のチャンネルを有し、チャンネルはここで、側壁及び底壁を有し、側壁は、粗面を含み、粗面は、約４．５μｉｎ（０．０００１ｍｍ）〜約１９．０μｉｎ（０．０００５ｍｍ）の範囲にあるＲａを有する。
【誤訳訂正７】
【訂正対象書類名】明細書
【訂正対象項目名】００１６
【訂正方法】変更
【訂正の内容】
【００１６】
[0020]流体をろ過する方法の別の実施形態では、方法は、流体を第１の微多孔膜の第１の表面から第１の膜の第２の表面に通過させるステップであって、第１の表面は、微多孔性表面を含み、第２の表面は、微多孔性表面を含み、第１の膜は、第１の表面と第２の表面の間に微多孔性バルクを有し、ここで、第１の膜は、縦方向及び横方向を有し、第１の表面は、縦方向に平行な複数のチャンネルを有し、チャンネルはここで、側壁及び底壁を有し、側壁は、粗面を含み、粗面は、約４．５μｉｎ（０．０００１ｍｍ）〜約１９．０μｉｎ（０．０００５ｍｍ）の範囲にあるＲａを有し、及び流体を第１の微多孔膜の第２の表面から第２の微多孔膜の第２の表面及び第２の膜の第１の表面に通過させ、第２の表面は、微多孔性表面を含み、第１の表面は、微多孔性表面を含み、第２の膜は、第２の表面と第１の表面の間の微多孔性バルクを有し、ここで、第２の膜は、縦方向及び横方向を有し、第１の表面は、縦方向に平行な複数のチャンネルを有し、チャンネルはここで、側壁及び底壁を有し、側壁は、粗面を含み、粗面は、約４．５μｉｎ（０．０００１ｍｍ）〜約１９．０μｉｎ（０．０００５ｍｍ）の範囲にあるＲａを有する。
【誤訳訂正８】
【訂正対象書類名】明細書
【訂正対象項目名】００１７
【訂正方法】変更
【訂正の内容】
【００１７】
[0021]流体をろ過する方法のさらに別の実施形態では、方法は、流体を第１の微多孔膜の第２の表面から第１の膜の第１の表面に通過させるステップであって、第２の表面は、微多孔性表面を含み、第１の表面は、微多孔性表面を含み、第１の膜は、第２の表面と第１の表面の間に微多孔性バルクを有し、ここで、第１の膜は、縦方向及び横方向を有し、第１の表面は、縦方向に平行な複数のチャンネルを有し、チャンネルはここで、側壁及び底壁を有し、側壁は、粗面を含み、粗面は、約４．５μｉｎ（０．０００１ｍｍ）〜約１９．０μｉｎ（０．０００５ｍｍ）の範囲にあるＲａを有し、及び流体を第１の微多孔膜の第２の表面から第２の微多孔膜の第２の表面及び第２の膜の第１の表面に通過させ、第２の表面は、微多孔性表面を含み、第１の表面は、微多孔性表面を含み、第２の膜は、第２の表面と第１の表面の間に微多孔性バルクを有し、ここで、第２の膜は、縦方向及び横方向を有し、第１の表面は、縦方向に平行な複数のチャンネルを有し、チャンネルはここで、側壁及び底壁を有し、側壁は、粗面を含み、粗面は、約４．５μｉｎ（０．０００１ｍｍ）〜約１９．０μｉｎ（０．０００５ｍｍ）の範囲にあるＲａを有する。
【誤訳訂正９】
【訂正対象書類名】明細書
【訂正対象項目名】００１８
【訂正方法】変更
【訂正の内容】
【００１８】
[0022]流体をろ過する方法のさらに別の実施形態では、方法は、流体を第１の微多孔膜の第２の表面から第１の膜の第１の表面に通過させるステップであって、第２の表面は、微多孔性表面を含み、第１の表面は、微多孔性表面を含み、第１の膜は、第２の表面と第１の表面の間に微多孔性バルクを有し、ここで、第１の膜は、縦方向及び横方向を有し、第１の表面は、縦方向に平行な複数のチャンネルを有し、チャンネルはここで、側壁及び底壁を有し、側壁は、粗面を含み、粗面は、約４．５μｉｎ（０．０００１ｍｍ）〜約１９．０μｉｎ（０．０００５ｍｍ）の範囲にあるＲａを有し、及び流体を第１の微多孔膜の第２の表面から第２の微多孔膜の第１の表面及び第２の膜の第２の表面に通過させ、第２の膜の第１の表面は、微多孔性表面を含み、第２の表面は、微多孔性表面を含み、第２の膜は、第１の表面と第２の表面の間に微多孔性バルクを有し、ここで、第２の膜は、縦方向及び横方向を有し、第１の表面は、縦方向に平行な複数のチャンネルを有し、チャンネルはここで、側壁及び底壁を有し、側壁は、粗面を含み、粗面は、約４．５μｉｎ（０．０００１ｍｍ）〜約１９．０μｉｎ（０．０００５ｍｍ）の範囲にあるＲａを有する。
【誤訳訂正１０】
【訂正対象書類名】明細書
【訂正対象項目名】００２４
【訂正方法】変更
【訂正の内容】
【００２４】
[0028]通常、基材の溝の深さに対するＲｚ値（各サンプリング長さの最高ピークと最低谷間の平均深さ）は、約５０μｉｎ（０．００１ｍｍ）〜約１７５μｉｎ（０．００４ｍｍ）の範囲にあり、溝間の間隔は、通常、３００μｉｎ（０．００８ｍｍ）〜約２４００μｉｎ（０．０６ｍｍ）の範囲にある。
【誤訳訂正１１】
【訂正対象書類名】明細書
【訂正対象項目名】００３４
【訂正方法】変更
【訂正の内容】
【００３４】
[0038]種々の流延技法が、当技術分野で知られており、適切である。当技術分野で知られている種々の装置は、流延に使用することができる。適切な装置には、例えば、スプレッディングナイフ、ドクターブレード、又は噴霧／加圧装置を含む、ロールコーター（フォワード又はリバースロールコーター）又は機械式スプレッダーが含まれる。ロールコーターの一実施例は、リバースロールコーターであり、流延調合物（ポリマー含有溶液）が導入される樹脂ウェル（resin well）を含む。移動ドクターローラー及びコーティングギャップは、基材への流延調合物の分布を調節する。例示的に、ポリマー含有溶液は、例えば、約５（０．１３ｍｍ）〜約８ｍｉｌｓ（０．２０ｍｍ）の範囲のドクターローラーと基材間のギャップを有するリバースロールコーターを使用して流延することができる。
【誤訳訂正１２】
【訂正対象書類名】明細書
【訂正対象項目名】００３５
【訂正方法】変更
【訂正の内容】
【００３５】
[0039]種々の流延速度が、当技術分野で知られているように適切である。通常、流延速度は、少なくとも毎分約３フィート（ｆｐｍ）（０．０２ｍ／秒）、より典型的には約３（０．０２ｍ／秒）〜約４０ｆｐｍ（０．２０ｍ／秒）の範囲、いくつかの実施形態では、少なくとも約５ｆｐｍ（０．０３ｍ／秒）である。
【誤訳訂正１３】
【訂正対象書類名】明細書
【訂正対象項目名】００３８
【訂正方法】変更
【訂正の内容】
【００３８】
[0042]通常、本発明の実施形態による膜の厚さは、約１．５ｍｉｌｓ（０．０３ｍｍ）〜約６．５ｍｉｌｓ（０．１７ｍｍ）の範囲、好ましくは、約３ｍｉｌｓ（０．０８ｍｍ）〜約４ｍｉｌｓ（０．１０ｍｍ）の範囲にある。
【誤訳訂正１４】
【訂正対象書類名】明細書
【訂正対象項目名】００５０
【訂正方法】変更
【訂正の内容】
【００５０】
[0054]厚さ３ｍｉｌのポリエチレンテレフタレート（ＰＥＴ）（Ｍｙｌａｒ  Ａ、ＤｕＰｏｎｔ  Ｔｅｉｊｉｎ）基材は、巻きを解かれ、１０．７５インチ（２７３ｍｍ）ＯＤ研磨ローラー（規則的な間隔で配置された粒子で被覆した研磨ローラー、ＡＮＳＩ指定の粗さ３２０グリット）、基材より毎分約１６フィート（ｆｐｍ）（０．０８ｍ／秒）速く並流回転する研磨ローラーを含め、一連のローラーに沿って通過され、基材は、約２０ｆｐｍ（０．１０ｍ／秒）の範囲の速度で研磨ローラーに引かれ、切削痕を有する基材は、最終ローラーに巻き取られる。
【誤訳訂正１５】
【訂正対象書類名】明細書
【訂正対象項目名】００５１
【訂正方法】変更
【訂正の内容】
【００５１】
[0055]基材の溝は、約１００μｉｎ（０．００３ｍｍ）〜約１５０μｉｎ（０．００４ｍｍ）の深さを有し、Ｐｏｃｋｅｔ  Ｓｕｒｆ  ＩＩＩ  １２０９  ＭＬ圧電粗度計（Ｍａｈｒ  Ｍｅｔｒｏｌｏｇｙ）を用いて決定される。溝は、幅約８００μｉｎ（０．０２ｍｍ）で、約４００μｉｎ（０．０１ｍｍ）の距離で分けられている（Ｏｌｙｍｐｕｓ  ＢＨ２−ＵＭＡ光学顕微鏡を使用して測定される）。
【誤訳訂正１６】
【訂正対象書類名】明細書
【訂正対象項目名】００５２
【訂正方法】変更
【訂正の内容】
【００５２】
[0056]２１．０％のポリエーテルスルホン（ＰＥＳ）Ｅ６０２０、ｍｗ４６−５５，０００（ＢＡＳＦ）、１５．５％のポリエチレングリコール２００（ＰＥＧ２００）（Ｄｏｗ  Ｃｈｅｍｉｃａｌ）、１２．７％の酢酸（ＡＡ）（ＪＴ  Ｂａｋｅｒ）、４２．８％のＮ，Ｎ−ジメチルアセトアミド（ＤＭＡｃ）（ＤｕＰｏｎｔ  Ｃｈｅｍｉｃａｌ）、及び８．０％のポリ（１−ビニルピロリドン−ｃｏ−酢酸ビニル）（Ｐａｓｄｏｎｅ  Ｓ６３０、ＩＳＰ  Ｔｅｃｈｎｏｌｏｇｉｅｓ）からなる溶液を調製する。切削痕を有する基材は、５ｆｐｍ（０．０３ｍ／秒）の速度でリバースロールコーターを通して供給され（ドクターローラーと基材との間のギャップは５〜８ｍｉｌ（０．１３〜０．２０ｍｍ）の範囲にあり、ここで、ドクターローラーの回転速度は、５〜１５ｒｐｍの範囲にある）、ここで、切削痕を有する基材は、リバースロールコーターのラッカー穴に垂直であり、溶液は、縦方向に基材の切削痕に入り、流延時に基材から空気を追い出す。溶液を、２１℃の液相（比４５：５５のＤＭＡｃ／ＤＩ水）転相浴中で、滞留時間２．２分間クエンチする。膜を９分間の滞留時間にわたりＤＩ水に通過させることにより膜から溶媒を洗い流す。
【誤訳訂正１７】
【訂正対象書類名】明細書
【訂正対象項目名】００５３
【訂正方法】変更
【訂正の内容】
【００５３】
[0057]膜を、１０〜２５ｆｐｍ（０．０５〜０．１３ｍ／秒）の範囲の速度での縦方向の剥離により基材から剥離し、ここで、剥離角度は、９０〜１８０度に維持され、剥離された膜は、ＤＩ水で濡らしたインタリーフ材料（ポリフェニルスルフィド）に巻き取られ、インタリーフ材料からはがされ、１０ｆｐｍ（０．０５ｍ／秒）の速度でオーブン中を通過させて乾燥し、交互配置／再巻き取りし、アルコールで浸出される。
【誤訳訂正１８】
【訂正対象書類名】明細書
【訂正対象項目名】００５７
【訂正方法】変更
【訂正の内容】
【００５７】
[0061]溶液は、実施例２に記載したように調製し、厚さ３ｍｉｌ（０．０８ｍｍ）のＰＥＴ（Ｍｙｌａｒ  Ａ、ＤｕＰｏｎｔ  Ｔｅｉｊｉｎ）基材上に流延し、ここで、基材の表面は、切削痕を有していなかった。膜を、基材から剥離し、交互配置し、乾燥し、再び巻き取る。基材に接触する表面のＳＥＭを図１Ａに示す。
【誤訳訂正１９】
【訂正対象書類名】明細書
【訂正対象項目名】００６３
【訂正方法】変更
【訂正の内容】
【００６３】
[0067]膜の側壁のＲａ値（粗さプロファイル縦座標の絶対値の算術平均、１Ｒａ＝１マイクロインチ（μｉｎ））は、５．４〜８．９μｉｎ（０．０００１〜０．０００２ｍｍ）の範囲にあり、底壁のＲａ値は、０．５〜１．７μｉｎ（０．００００１〜０．０００４ｍｍ）の範囲にある。
【誤訳訂正２０】
【訂正対象書類名】明細書
【訂正対象項目名】００７３
【訂正方法】変更
【訂正の内容】
【００７３】
[0077]２つの膜（それぞれ約３ｍｉｌｓ（０．０８ｍｍ）〜約４ｍｉｌｓ（０．１０ｍｍ）の厚さを有する）は、共に積み重ねてフィルターを提供し、ここで、各膜の上流側の表面は、刻み目をつけた表面であり、すなわち、フィルターは、第１の膜の上流側の刻み目をつけた表面、続いて第１の膜の下流側の刻み目のない表面を有し、第２の膜の刻み目をつけた表面は、第１の膜の下流側の刻み目のない表面に接触している。
【誤訳訂正２１】
【訂正対象書類名】明細書
【訂正対象項目名】００７９
【訂正方法】変更
【訂正の内容】
【００７９】
[0083]膜の側壁のＲａ値は、９．５〜１５．６μｉｎ（０．０００２〜０．０００４ｍｍ）の範囲にあり、底壁のＲａ値は、０．５〜１．７μｉｎ（０．００００１〜０．００００４ｍｍ）の範囲にある。
【誤訳訂正２２】
【訂正対象書類名】明細書
【訂正対象項目名】００８９
【訂正方法】変更
【訂正の内容】
【００８９】
[0093]２つの膜（それぞれ約３ｍｉｌｓ（０．０８ｍｍ）〜約４ｍｉｌｓ（０．１０ｍｍ）の厚さを有する）は、共に積み重ねてフィルターを提供し、ここで、各膜の上流側の表面は、刻み目をつけた表面であり、すなわち、フィルターは、第１の膜の上流側の刻み目をつけた表面、続いて第１の膜の下流側の刻み目のない表面を有し、第２の膜の刻み目をつけた表面は、第１の膜の下流側の刻み目のない表面に接触している。
【誤訳訂正２３】
【訂正対象書類名】明細書
【訂正対象項目名】００９５
【訂正方法】変更
【訂正の内容】
【００９５】
[0099]溶液は、厚さ３ｍｉｌ（０．０８ｍｍ）のＰＥＴ（Ｍｙｌａｒ  Ａ、ＤｕＰｏｎｔ  Ｔｅｉｊｉｎ）基材上の流延し、ここで、基材の表面は、切削痕を有していなかった。溶液をクエンチし、膜を、基材から剥離し、乾燥する。
【誤訳訂正２４】
【訂正対象書類名】明細書
【訂正対象項目名】０１００
【訂正方法】変更
【訂正の内容】
【０１００】
[0104]膜は、実施例１に記載するように調製する。単一層膜は、厚さ約３ｍｉｌｓ（０．０８ｍｍ）〜約４ｍｉｌｓ（０．１０ｍｍ）を有する。２つの膜は、共に積み重ねてフィルターを提供し、ここで、各膜の上流側表面は刻み目をつけた表面であり、すなわち、フィルターは、第１の膜の上流側の刻み目をつけた表面、続いて第１の膜の下流側の刻み目のない表面を有し、第２の膜の刻み目をつけた表面は第１の膜の下流側の刻み目のない表面と接触している。
【誤訳訂正２５】
【訂正対象書類名】明細書
【訂正対象項目名】０１０１
【訂正方法】変更
【訂正の内容】
【０１０１】
[0105]市販可能な複合多層ウイルスろ過膜が、得られる。複合膜は、約５ｍｉｌｓ（０．１３ｍｍ）〜約６ｍｉｌｓ（０．１５ｍｍ）の厚さを有する。得られた膜は、２つの膜が重なり合っている。